(57)【要約】      （修正有）【課題】シリンジ外筒の表面に印刷された表示が剥離することのない粘着フィルム付きシリンジを提供する。【解決手段】シリンジの外筒２の曲面の一部に、前記外筒２の表面に印刷された表示（目盛５）を被覆するように粘着フィルム６が貼付される。粘着フィルム６は、耐薬品性及び耐溶剤性を有し、表示が視認できる透明性を有する。【選択図】図１
0003157370.tif 000002
【実用新案登録請求の範囲】
【請求項１】
シリンジの外筒の曲面の一部に、前記外筒の表面に印刷された表示を被覆するように粘着フィルムが貼付されたことを特徴とする粘着フィルム付きシリンジ。
【請求項２】
前記粘着フィルムは耐薬品性および耐溶剤性を有し、前記外筒に貼付したとき、前記外筒の表面に印刷された表示が視認できる透明性を有することを特徴とする請求項１に記載の粘着フィルム付きシリンジ。
【請求項３】
前記粘着フィルムの前記基材がポリプロピレン、ポリエチレン、ポリ塩化ビニル、ポリスチレン、ナイロンであることを特徴とする請求項１または２に記載の粘着フィルム付きシリンジ。
【請求項４】
前記粘着フィルムの前記基材の初期弾性率が１００〜５００ＭＰａであることを特徴とする請求項１乃至３に記載の粘着フィルム付きシリンジ。
【請求項５】
前記粘着フィルムの前記基材の厚みが１０〜１００μｍであることを特徴とする請求項１乃至４に記載の粘着フィルム付きシリンジ。
【請求項６】
前記粘着フィルムの前記基材に塗られた前記粘着剤がアクリル系粘着剤であることを特徴とする請求項１乃至５に記載の粘着フィルム付きシリンジ。
【請求項７】
前記粘着フィルムは、前記シリンジの外筒の曲面の一部に重複することなく貼付されていることを特徴とする請求項１乃至６に記載の粘着フィルム付きシリンジ
【請求項８】
前記シリンジの外筒はプラスチック製であることを特徴とする請求項１乃至７に記載の粘着フィルム付きシリンジ。
【考案の詳細な説明】
【技術分野】
【０００１】
この考案は、特にシリンジ外筒の表面に印刷された表示を被覆する粘着フィルム付きシリンジに関する。
【背景技術】
【０００２】
周知のように、現在の医療においてシリンジ（注射器）は、薬液等の注入および体液等の吸引の目的で、予防接種から治療まで、種々な医療現場で使用されている。
通常シリンジに薬液等を充填する場合、シリンジに針を取り付け、薬液アンプルのゴム栓を針で突き刺し薬液を吸引していた。従って、シリンジ外筒の外面に付けられた目盛等が薬液に接触することはほとんどなかった。
【０００３】
しかしながら、近年、血管造影剤を使用した血管検査およびインターベンション治療の場でもシリンジが使用されるようになった。このようなところでは薬液を充填する際にシリンジ外筒を薬液内に浸漬して吸引することがあり、シリンジ外筒に薬液が付着することがあった。また、その薬液が付着したシリンジを手で擦過するような状況も発生していた。
その結果、シリンジ外筒に印刷された目盛に剥がれ、滲み、消失等を生じ、薬液の充填量が分からなくなったり、さらには印刷インキが薬液に混入したりするということも生じている（非特許文献１）。
【０００４】
【非特許文献１】神山信也  他：「注射器から剥離したインキ塊による脳血管撮影時塞栓性合併症の可能性について」脳血管外科37(1), 47−50, 2009
【考案の概要】
【考案が解決しようとする課題】
【０００５】
従来のプラスチック製シリンジは、プラスチック製の外筒の表面にスクリーン印刷等によって目盛を印刷したもので、造影剤等の付着および手による擦過が加わった場合、印刷目盛が剥離するという問題があった。
【０００６】
本考案は、上記事情に鑑みてなされたもので、シリンジ外筒の表面に印刷された表示が剥離することのない粘着フィルム付きシリンジを提供することである。
【課題を解決するための手段】
【０００７】
このような課題は、下記（１）〜（８）の本考案によって達成される。
（１）シリンジの外筒の曲面の一部に、前記外筒の表面に印刷された表示を被覆するように粘着フィルムが貼付されたことを特徴とする粘着フィルム付きシリンジ。
【０００８】
（２）前記粘着フィルムは耐薬品性および耐溶剤性を有し、前記外筒に貼付したとき、前記外筒の表面に印刷された表示が視認できる透明性を有する（１）に記載の粘着フィルム付きシリンジ。
【０００９】
（３）前記粘着フィルムの前記基材がポリプロピレン、ポリエチレン、ポリ塩化ビニル、ポリスチレン、ナイロンである（１）または（２）に記載の粘着フィルム付きシリンジ。
【００１０】
（４）前記粘着フィルムの前記基材の初期弾性率が１００〜５００ＭＰａである（１）乃至（３）に記載の粘着フィルム付きシリンジ。
【００１１】
（５）前記粘着フィルムの前記基材の厚みが１０〜１００μｍである（１）乃至（４）に記載の粘着フィルム付きシリンジ。
【００１２】
（６）前記粘着フィルムの前記基材に塗られた前記粘着剤がアクリル系粘着剤である（１）乃至（５）に記載の粘着フィルム付きシリンジ。
【００１３】
（７）前記粘着フィルムは、前記シリンジの外筒の曲面の一部に重複することなく貼付されている（１）乃至（６）に記載の粘着フィルム付きシリンジ
【００１４】
（８）前記シリンジの外筒はプラスチック製である（１）乃至（７）に記載の粘着フィルム付きシリンジ。
【考案の効果】
【００１５】
本考案によれば、粘着フィルムでシリンジ外筒に印刷された表示が被覆されているため、薬液が粘着フィルムに付着しても表示が剥離することがない。
【００１６】
また粘着フィルムは耐薬品性、耐溶剤性および表示が視認できる程度の透明性を有するため薬液が付着してもフィルムが変色および溶解することがなく、表示の剥離および表示が読み取れないと言う問題も生じない。
【００１７】
粘着フィルムの基材は、ポリプロピレン、ポリエチレン、ポリ塩化ビニル、ポリスチレン、ナイロンからなるため、透明性を有し、薬液で侵されることもない。
【００１８】
粘着フィルムの基材の初期弾性率が１００〜５００ＭＰａであるため、可撓性に優れており曲率が大きいシリンジ外筒に貼付しても剥離することがない。
【００１９】
粘着フィルムの基材の厚みが１０〜１００μｍであるため可撓性に優れており曲率が大きいシリンジ外筒に貼付しても剥離することがない。
【００２０】
粘着フィルムの基材に塗られた粘着剤がアクリル系粘着剤であるため耐薬品性、耐溶剤性、透明性、耐滅菌性を有するため製造工程および使用中にフィルムが剥離することがない。
【００２１】
さらに、粘着フィルムは簡単に貼付することができるため、耐薬液性シリンジの原価を低減することができる。
【図面の簡単な説明】
【００２２】
【図１】図１は、粘着フィルム付きシリンジの全体図を示す。
【図２（ａ）】粘着フィルム付きシリンジの粘着フィルムを貼付する工程の説明図である。
【図２（ｂ）】粘着フィルム付きシリンジの粘着フィルムを貼付する工程の説明図である。
【図２（ｃ）】粘着フィルム付きシリンジの粘着フィルムを貼付する工程の説明図である。
【図２（ｄ）】粘着フィルム付きシリンジの粘着フィルムを貼付する工程の説明図である。
【考案を実施するための最良の形態】
【００２３】
以下、この考案について更に詳しく説明する。
本考案の粘着フィルム付きシリンジは、プラスチック製のシリンジ外筒の表面の少なくとも一部に容量目盛が印刷インキによって表示されており、この表示を透明フィルム基材の裏面に粘着剤層が形成された粘着フィルムで被覆して保護するため、粘着フィルムをシリンジ外筒に貼着したものである。
【００２４】
この考案において、粘着フィルムの基材としては、耐薬品性、耐溶剤性および透明性を有しているものであればよく、例えば、ポリプロピレン、ポリエチレン、ポリ塩化ビニル、ポリスチレン、ナイロン等が挙げられる。なお、表示が視認できる程度の透明性があれば色が付いていてもよい。
【００２５】
この考案において、粘着フィルムの基材の物性は可撓性の高いものがよく、初期弾性率が１００〜５００ＭＰａであるものが望ましい。初期弾性率が１００ＭＰａより小さいと貼付作業がやり難くなり、５００ＭＰａより大きいと可撓性が小さくなり剥離しやすくなるからである。
【００２６】
この考案において、粘着フィルムの基材の厚みは、１０〜１００μｍであるのが望ましい。厚みが１０μｍより薄いと貼付作業がやり難くなり、１００μｍより厚いと可撓性が小さくなり剥離しやすくなるからである。
【００２７】
次に、この考案の具体的な実施例について図面を参照して説明する。
（実施例）
図１は、粘着フィルム６が貼付された粘着フィルム付きシリンジ１の全体図である。粘着フィルム付きシリンジ１は、ポリプロピレン製のシリンジ外筒２と、押し子３と、シリンジ外筒２の基端部に一体的に設けられた鍔４と、シリンジ外筒２の外周面に印刷された目盛５と、目盛５を被覆する粘着フィルム６とからなる。粘着フィルム６は、基材フィルムと、基材フィルムの裏面に塗布された粘着剤層とからなる。ここで、基材フィルムには、初期弾性率が約２００ＭＰａ、厚さ７０μｍのポリプロピレン・フィルムを用い、粘着剤には、アクリル系粘着剤を用いた。基材フィルムは、シリンジ外筒２に印刷された目盛５の全体を被覆し、シリンジ外筒２の全周を被覆しない大きさである。
また、粘着フィルム６が貼付されたシリンジ外筒２は、目盛５が視認できる程度の透明性を備えている。
【００２８】
このような粘着フィルム付きシリンジ１は、図２（ａ）〜（ｄ）に示す方法で粘着フィルム６が貼付される。まず、粘着フィル６の一部を剥離紙から剥離して冶具に粘着させる（ａ）。冶具の表面は粘着フィルム６が剥離し易いように表面がエンボス加工されている。冶具に取った粘着フィルム６は、冶具の一端をシリンジ外筒２の鍔４に合わせて位置決めし（ｂ）、粘着フィルム６の自由な端部をシリンジ外筒２に貼付し、シリンジ外筒２を回転させながら粘着フィルム６を冶具からシリンジ外筒２に移し（ｃ）、最後に粘着フィルム６のもう一方の端部をシリンジ外筒２に貼付する（ｄ）。なお、これは手作業で粘着フィルム６を貼付する方法を説明したもので、専用の貼付機械を用いてもよい。
【００２９】
実施例によれば、耐薬品性および耐溶剤性を有するポリプロピレン・フィルムを基材に用いた粘着フィルムでシリンジ外筒に印刷された目盛を被覆するように貼付しているため、シリンジを造影剤に浸漬して外筒の外面に造影剤を付着させても、粘着フィルムがシリンジ外筒の印刷部分を気密に封止しているため、印刷の剥がれ、滲みおよび消失は、まったく生じなかった。また粘着フィルムの損傷等も生じなかった。
また、造影剤が付着した粘着フィルム表面を手で擦過したが、粘着フィルムの剥離や、変形および損傷もまったく生じなかった。
【００３０】
次に、前記実施例および下記比較例の粘着フィルム付きシリンジを、以下の環境下に暴露し、粘着フィルムの剥離の有無を確認した。なお、貼付面の曲率が大きいほど剥離が生じ易くなるので、シリンジ外筒には曲率の大きい１ｍｌシリンジを用いた。その結果を下記表１に示す。
１．エチレンオキサイドガス滅菌
通常のプラスチック製シリンジを滅菌する条件で滅菌したときの粘着フィルムの剥離の有無を観察した。
２．促進劣化試験
６０℃のオーブン中に１週間放置したあとの粘着フィルムの剥離の有無を観察した。
剥離は、次の３段階で評価した。
×：明らかに剥離が認められる
△：角に軽微な剥離が認められる
○：剥離はまったく認められない
【００３１】
（比較例１）
粘着フィルムの基材フィルムに、初期弾性率が約２０００ＭＰａ、厚さ３８μｍのポリエチレンテレフタレート・フィルムを用いた以外は、実施例１と同様にして粘着フィルム付きシリンジを製造した。
【００３２】
（比較例２）
粘着フィルムの基材フィルムに、初期弾性率が約２０００ＭＰａ、厚さ２５μｍのポリエチレンテレフタレート・フィルムを用いた以外は、実施例１と同様にして粘着フィルム付きシリンジを製造した。
【００３３】
（比較例３）
粘着フィルムの基材フィルムに、初期弾性率が約２０００ＭＰａ、厚さ１６μｍのポリエチレンテレフタレート・フィルムを用いた以外は、実施例１と同様にして粘着フィルム付きシリンジを製造した。
【００３４】
【表１】
0003157370.tif 000003
【００３５】
本考案の実施例の粘着フィルム付きシリンジは、ＥＯＧ滅菌およびオーブン中に１週間放置した場合も、まったく剥離が認められなかった。比較例のポリエチレンテレフタレート・フィルムを用いた粘着フィルムは厚みが薄いほうが剥離し難い傾向を示したが、まったく剥離を認めないものはなかった。
【００３６】
この考案では、プラスチック製のシリンジ外筒にポリプロピレン製の粘着フィルムを貼付した例を開示したが、本考案はこれに限定されるものではなく、前記した初期弾性率および厚さがあり、耐薬品性、耐溶剤性および透明性を有する粘着フィルムであれば何でもよい。また、曲面部に粘着フィルムを貼付する対象もシリンジに限らず医療器具全般を含むものである。
【符号の説明】
【００３７】
１  粘着フィルム付きシリンジ
２  シリンジ外筒
３  押し子
４  鍔
５  目盛
６  粘着フィルム
【図１】
0003157370.tif 000004
【図２（ａ）】
0003157370.tif 000005
【図２（ｂ）】
0003157370.tif 000006
【図２（ｃ）】
0003157370.tif 000007
【図２（ｄ）】
0003157370.tif 000008
【手続補正書】
【提出日】平成21年10月7日(2009.10.7)
【手続補正１】
【補正対象書類名】実用新案登録請求の範囲
【補正対象項目名】全文
【補正方法】変更
【補正の内容】
【実用新案登録請求の範囲】
【請求項１】
シリンジの外筒の曲面の一部に、前記外筒の表面に印刷された表示を被覆するように粘着フィルムが貼付されたことを特徴とする粘着フィルム付きシリンジ。
【請求項２】
前記粘着フィルムは耐薬品性および耐溶剤性を有し、前記外筒に貼付したとき、前記外筒の表面に印刷された表示が視認できる透明性を有することを特徴とする請求項１に記載の粘着フィルム付きシリンジ。
【請求項３】
前記粘着フィルムの基材がポリプロピレン、ポリエチレン、ポリ塩化ビニル、ポリスチレン、ナイロンであることを特徴とする請求項１または２に記載の粘着フィルム付きシリンジ。
【請求項４】
前記粘着フィルムの前記基材の初期弾性率が１００〜５００ＭＰａであることを特徴とする請求項１〜３のいずれか一項に記載の粘着フィルム付きシリンジ。
【請求項５】
前記粘着フィルムの前記基材の厚みが１０〜１００μｍであることを特徴とする請求項１〜４のいずれか一項に記載の粘着フィルム付きシリンジ。
【請求項６】
前記粘着フィルムの前記基材に塗られた粘着剤がアクリル系粘着剤であることを特徴とする請求項１〜５のいずれか一項に記載の粘着フィルム付きシリンジ。
【請求項７】
前記粘着フィルムは、前記シリンジの外筒の曲面の一部に重複することなく貼付されていることを特徴とする請求項１〜６のいずれか一項に記載の粘着フィルム付きシリンジ。
【請求項８】
前記シリンジの外筒はプラスチック製であることを特徴とする請求項１〜７のいずれか一項に記載の粘着フィルム付きシリンジ。
【手続補正書】
【提出日】平成21年11月27日(2009.11.27)
【手続補正１】
【補正対象書類名】実用新案登録請求の範囲
【補正対象項目名】全文
【補正方法】変更
【補正の内容】
【実用新案登録請求の範囲】
【請求項１】
シリンジの外筒の曲面の一部に、前記外筒の表面に印刷された表示を被覆するように粘着フィルムが貼付されたことを特徴とする粘着フィルム付きシリンジ。
【請求項２】
前記粘着フィルムは耐薬品性および耐溶剤性を有し、前記外筒に貼付したとき、前記外筒の表面に印刷された表示が視認できる透明性を有することを特徴とする請求項１に記載の粘着フィルム付きシリンジ。
【請求項３】
前記粘着フィルムの基材がポリプロピレン、ポリエチレン、ポリ塩化ビニル、ポリスチレン、ナイロンであることを特徴とする請求項１または２に記載の粘着フィルム付きシリンジ。
【請求項４】
前記粘着フィルムの前記基材の初期弾性率が１００〜５００ＭＰａであることを特徴とする請求項３に記載の粘着フィルム付きシリンジ。
【請求項５】
前記粘着フィルムの前記基材の厚みが、１０〜１００μｍであることを特徴とする請求項３または４に記載の粘着フィルム付きシリンジ。
【請求項６】
前記粘着フィルムの前記基材に塗られた粘着剤がアクリル系粘着剤であることを特徴とする請求項３〜５のいずれか一項に記載の粘着フィルム付きシリンジ。
【請求項７】
前記粘着フィルムは、前記シリンジの外筒の曲面の一部に重複することなく貼付されていることを特徴とする請求項１〜６のいずれか一項に記載の粘着フィルム付きシリンジ。
【請求項８】
前記シリンジの外筒はプラスチック製であることを特徴とする請求項１〜７のいずれか一項に記載の粘着フィルム付きシリンジ。
【手続補正２】
【補正対象書類名】明細書
【補正対象項目名】０００９
【補正方法】変更
【補正の内容】
【０００９】
（３）前記粘着フィルムの基材がポリプロピレン、ポリエチレン、ポリ塩化ビニル、ポリスチレン、ナイロンである（１）または（２）に記載の粘着フィルム付きシリンジ。
【手続補正３】
【補正対象書類名】明細書
【補正対象項目名】００１０
【補正方法】変更
【補正の内容】
【００１０】
（４）前記粘着フィルムの前記基材の初期弾性率が１００〜５００ＭＰａである（３）に記載の粘着フィルム付きシリンジ。
【手続補正４】
【補正対象書類名】明細書
【補正対象項目名】００１１
【補正方法】変更
【補正の内容】
【００１１】
（５）前記粘着フィルムの前記基材の厚みが１０〜１００μｍである（３）または（４）に記載の粘着フィルム付きシリンジ。
【手続補正５】
【補正対象書類名】明細書
【補正対象項目名】００１２
【補正方法】変更
【補正の内容】
【００１２】
（６）前記粘着フィルムの前記基材に塗られた粘着剤がアクリル系粘着剤である（３）〜（５）のいずれか一項に記載の粘着フィルムつきシリンジ。
【手続補正６】
【補正対象書類名】明細書
【補正対象項目名】００１３
【補正方法】変更
【補正の内容】
【００１３】
（７）前記粘着フィルムは、前記シリンジの外筒の曲面の一部に重複することなく貼付されている（１）〜（６）のいずれか一項に記載の粘着フィルム付きシリンジ。
【手続補正７】
【補正対象書類名】明細書
【補正対象項目名】００１４
【補正方法】変更
【補正の内容】
【００１４】
前記シリンジの外筒はプラスチック製である（１）〜（７）のいずれか一項に記載の粘着フィルム付きシリンジ。